(57)【要約】【課題】  均一でぎらつきのない光を放射し、長寿命で安全な夜間灯を提供する。【解決手段】  本夜間灯は：少なくとも１つの光源（３）を内部に含むプラスチックベース（１）と中間部分に光ガイド穴（２１）を設けたカバー（２）とを備え；光源の駆動回路はベース（１）内の電気プラグ（４）の入力端子に電気的に接続され；電気プラグ（４）の入力端子はベース（１）の外表面から外部へ突出して電源のジャックに電気的に接続される。光ガイド穴（２１）の開口部に光ガイド装置（５）が設けられ、光ガイド装置（５）はバックライト面（５１０１）と受光面（５１０２）とを含む透明光ガイドプレート（５１）を備え、受光面（５１０２）の表面には光線を均一に分散させる光発散フィルム（５１０４）が取り付けられ；透明光ガイドプレート（５１）のプレート本体には、内部に光源（３）を収納する少なくとも１つの空洞が設けられる。【選択図】図１
0003110809.tif 000002
【実用新案登録請求の範囲】
【請求項１】
夜間灯であって：
少なくとも１つの光源（３）を内部に含むプラスチックベース（１）と；
中間部分に光ガイド穴（２１）を設けたカバー（２）とを備え；
前記光源の駆動回路が、前記ベース（１）内の電気プラグ（４）の入力端子に電気的に接続され；
前記電気プラグ（４）の入力端子が前記ベース（１）の外表面から外部へ突出して電源のジャックに電気的に接続され；
前記光ガイド穴（２１）の開口部に光ガイド装置（５）が設けられ、当該光ガイド装置（５）は、バックライト面（５１０１）と受光面（５１０２）とを含む透明光ガイドプレート（５１）から構成され、
前記受光面（５１０２）の表面には、光線を均一に分散させる光発散フィルム（５１０４）が取り付けられ；
前記透明光ガイドプレート（５１）のプレート本体には、光源（３）を内部に収納するための少なくとも１つの空洞が設けられていることを特徴とする夜間灯。
【請求項２】
前記透明光ガイドプレート（５１）のバックライト面（５１０１）に光反射フィルム層（５２）が取り付けられていることを特徴とする、請求項１にかかる夜間灯。
【請求項３】
前記透明光ガイドプレート（５１）の受光面（５１０２）に遮光フィルム層（５３）が取り付けられていることを特徴とする、請求項１または請求項２にかかる夜間灯。
【請求項４】
前記透明光ガイドプレート（５１）の全ての側面に光反射フィルムが取り付けられていることを特徴とする、請求項３にかかる夜間灯。
【請求項５】
前記光源（３）がＬＥＤ半導体冷光ランプであることを特徴とする、請求項４にかかる夜間灯。
【考案の詳細な説明】
【技術分野】
【０００１】
本考案は、家庭用照明灯に関し、より具体的には直接プラグインする夜間灯に関する。
【背景技術】
【０００２】
現在、直接プラグインをする夜間灯に広く使用されている構造は、光源（luminophor）を内部に含んだケースを備えている。前記ケースの受光面には透明窓が設けられ、ケースのバックライト面には電気プラグを備えている。この電気プラグは前記光源の駆動回路に接続され、これを壁のソケットやその他ジャッキを備えた電源パネルに直接差し込むことによって電源に接続される。一般に、通常照明に使用される1.5Ｗ〜10Ｗの白熱ランプが光源として使用される。上述した構造を備える夜間灯から放射される光線は、前記透明窓を直に通過して外部に集中的に放射される。夜間において、この放射された不均一の光線はぎらつき感をもたらし、このために睡眠に影響を及ぼす。さらに、夜間灯に取り付けられた白熱ランプは熱を帯び、この夜間灯からの熱によって子供の手にやけどを負わせることがあり、子供にとって安全ではない。加えて、白熱ランプは電力消費が大きく、寿命も一般に1000〜1500時間と短く；このため白熱ランプは頻繁に交換する必要がある。
【考案の開示】
【考案が解決しようとする課題】
【０００３】
従来技術による夜間灯の上述した問題を解消するため、本考案の目的は、ぎらつきのない均一な光を放射する夜間灯を提供することにある。
【課題を解決するための手段】
【０００４】
上述の目的を達成するため、本考案にかかる夜間灯は：少なくとも１つの光源を内部に含むプラスチックベースと；中間部分に光ガイド穴を有するカバーとを備え；前記光源の駆動回路は前記ベースにある電気プラグの入力端子に電気的に接続され；前記電気プラグの入力端子は前記ベースの外表面から外部へ突出して電源のジャックに電気的に接続される。前記光ガイド穴の開口部に光ガイド装置が設けられ、この光ガイド装置は、バックライト面と受光面を有する透明光ガイドプレートを備え、前記受光面の表面には光線を均一に分散するための光発散フィルムが取り付けられ；前記透明光ガイドプレートのプレート本体には、内部に光源を収納するための少なくとも１つの空洞が設けられている。
【０００５】
前記透明光ガイドプレートのバックライト面には、光反射フィルム層が取り付けられる。
前記透明光ガイドプレートの受光面には、遮光フィルム層が取り付けられる。
前記透明光ガイドプレートの全ての側面には、光反射フィルムが取り付けられる。
前記光源は、ＬＥＤ半導体冷光ランプである。
【０００６】
本考案にかかる前記光ガイドプレートのバックライト面と全側面に光反射フィルムが取り付けられるため、前記光源から放射される全ての光線は前記光ガイドプレートの受光面によって外方向にガイドされる。前記光ガイドプレートの受光面には光発散フィルムが取り付けられているため、この光発散フィルムは、放射光線を均一に分散させるだけでなく、光線をぎらつきのないソフトなものにする。光源としてＬＥＤ半導体冷光ランプが使用されると、前記夜間灯の寿命を延ばすばかりでなく、夜間灯の使用中に子供の手にやけどを負わせることがなくなる。
【考案の効果】
【０００７】
本考案にかかる夜間灯は、放射された光線を均一でぎらつきのないソフトなものにする。また、ＬＥＤ半導体冷光ランプが光源として使用されると、夜間灯の寿命を延長させ、エネルギが節約され、加えて当該夜間灯は安全で子供の手にやけどを負わせることがないという効果を奏する。
【考案を実施するための最良の形態】
【０００８】
以下、添付図面を参照して本考案にかかる好ましい実施の形態について詳述する。
図１に示す夜間灯は、少なくとも１つの光源３を内部に含むプラスチックベース１と；中間部分に光ガイド穴２１を設けたカバー２とから構成されている。光源の数は、要求に応じ、または様々な色の要望に応じて選択が可能である。例えば、黄、青、赤の光をそれぞれ放射する３つの光源を設けることが可能である。この光源３は、一般に使用されている白熱ランプであってもよい。本実施の形態では、光源としてＬＥＤ半導体冷光ランプが使用される。この冷光光源は、電力消費が低く、長寿命であり、熱を帯びないために夜間に使用されても子供の手にやけどを負わせることがない。光源３の駆動回路は、前記ベース１内の電気プラグ４の入力端末に電気接続されている。この電気プラグ４の入力端子は、ベース１の外表面から外部へ突出し、外部のソケット部のジャッキに直接プラグインすることで電源につなげられる。光ガイド穴２１の開口部には、図１に示すように光ガイド装置５が設けられる。光源３から放射された光線は、光ガイド装置５によって均一に外側に向けてガイドされる。光ガイド装置５は、図２に示すように、透明光ガイドプレート５１と、光反射フィルム５２と、遮光フィルム５３とを備えている。前記透明光ガイドプレートには空洞５１３０が設けられ、この数は光源３の数に対応してそれぞれ光源３を収納する。透明光ガイドプレート５１にはバックライト面５１０１と受光面５１０２とを備える。受光面５１０２の表面には光発散フィルム層５１０４が取り付けられ、光源３から放射された光を均一に分散させる。当該夜間灯の安らぎをさらに増すため、光発散フィルム５１０４の外表面上に遮光フィルム層５３を取り付けることができる。加えて、光源３の光が受光面５１０２からよりよくガイドされることを確実にするため、光反射フィルム５２がバックライト面５１０１上及び全ての側面上に取り付けられる。
【０００９】
本考案の夜間灯に使用される光ガイド装置５において、光発散フィルム５１０４を用いることなく光を均一に外側へ分散させることができる透明な材料で透明光ガイドプレート５１を置き換えてもよい。前記光反射フィルムは、透明光ガイドプレート５１のバックライト面及び側面上に直接コートされてもよい。
【産業上の利用可能性】
【００１０】
本考案は、家庭用照明灯の産業分野において広く利用することができる。
【図面の簡単な説明】
【００１１】
【図１】本考案の実施の形態にかかる夜間灯の断面図である。
【図２】図１に示す夜間灯内の光ガイド装置の構成図である。
【符号の説明】
【００１２】
１．プラスチックベース、  ２．カバー、  ２１．光ガイド穴、  ３．光源、  ４．電気プラグ、  ５．光ガイド装置、  ５１．透明光ガイドプレート、  ５１０１．バックライト面、  ５１０２．受光面、  ５１０３．空洞、  ５１０４．光発散フィルム層、  ５２．光反射フィルム、  ５３．遮光フィルム。
【図１】
0003110809.tif 000003
【図２】
0003110809.tif 000004